(57)【要約】【課題】  セルモータ付汎用携帯発電機を、商用電源が停電したときには自動的に起動させ、商用電源が通電した時には自動的に停止させ、自動電源切換コンセントで商用電源とセルモータ付汎用携帯発電機の出力電源を自動的に切り換えることができるようにすることを課題とする。【解決手段】  商用電源に接続でき電力の供給を受けることができる商用プラグと、任意の発電機に接続でき電力の供給を受けることができる発電機接続プラグと、電力供給源より供給された電力を出力でき、電力供給源が変わった際に自動的に回路を切り換えることができる出力プラグと、商用電源の通電、停電を検知する検知回路と前記検知回路と連動し商用電源の停電時に発電機を自動的に起動し、通電時に発電機を自動的に停止させることができる発電機制御回路より構成される携帯発電機自動制御装置。【選択図】図１
2008125337.tif 000002
【特許請求の範囲】
【請求項１】
商用電源に接続でき電力の供給を受けることができる商用プラグと、任意の発電機に接続でき電力の供給を受けることができる発電機接続プラグと、電力供給源より供給された電力を出力でき、電力供給源が変わった際に自動的に回路を切り換えることができる出力プラグと、商用電源の通電、停電を検知する検知回路と前記検知回路と連動し商用電源の停電時に発電機を自動的に起動し、通電時に発電機を自動的に停止させることができる発電機制御回路より構成される携帯発電機自動制御装置。
【請求項２】
発電機回転検知回路を設け、セルモータ付汎用携帯発電機の回転後にセルモータを自動的に停止させることができることを特徴とした請求項１に記載した携帯発電機自動制御装置。
【請求項３】
発電機バッテリー充電回路を設け、セルモータ付汎用携帯発電機のバッテリーを常時充電することができることを特徴とする請求項１または請求項２に記載の携帯発電機自動制御装置。
【請求項４】
タイマー付発電機定期運転回路を設け、タイマーによりセルモータ付汎用携帯発電機の運転時間及び運転回数を設定し、セルモータ付汎用携帯発電機を自動的に試運転させることが出来ることを特徴とする請求項１から請求項３までの何れか１項に記載の携帯発電機自動制御装置。
【請求項５】
外気温度検知回路、保温制御回路、保温装置類を設け、セルモータ付汎用携帯発電機のエンジンを自動的に保温する機能を付加したこと特徴とする請求項１から請求項４までの何れか１項に記載の携帯発電機自動制御装置。
【請求項６】
発電機接続プラグの記載を削除して、任意の発電機に設けられた商用電源に接続できる商用電源プラグと他の電力供給源より供給された電力を出力でき、電力供給源が変わった際に自動的に回路を切り換えることができる出力プラグと、商用電源の通電、停電を検知する検知回路と前記検知回路と連動し商用電源の停電時に発電機を自動的に起動し、通電時に発電機を自動的に停止させることができる発電機制御回路より構成される携帯発電機自動制御装置付汎用携帯発電機。
【発明の詳細な説明】
【技術分野】
【０００１】  本発明は、セルモータ付汎用携帯発電機を、商用電源が停電したときには自動的に起動させ、商用電源が通電した時には自動的に停止させ、自動電源切換コンセントで商用電源とセルモータ付汎用携帯発電機の出力電源を自動的に切り換えることができるようにした、携帯発電機自動制御装置及び携帯発電機自動制御装置付汎用携帯発電機に関するものである。
【背景技術】
【０００２】  従来のセルモータ付汎用携帯発電機（６）は、セルモータやリコイルスターターにより発電機を手動により起動させ、手動により停止させるものであった。
【特許文献１】  特許公開２００５−３２３４２６号公報
【特許文献２】  特許公開２００５−２６９７７６号公報
【発明の開示】
【発明が解決しようとする課題】
【０００３】  しかし、従来のセルモータ付汎用携帯発電機（６）には、次のような問題があった。
イ）  セルモータ付汎用携帯発電機（６）は、商用電源が停電したとき手動で起動させ、通電したとき手動で停止させなければならなかった。
ロ）  非常用電気機器を商用電源と発電機のコンセントに接続し利用している場合、商用電源が通電、停電のたびに電気機器は、商用電源または発電機の出力コンセント（１６）などに手動で切り換える必要があり煩わしさがあった。
本発明は、これらの問題を解決するためになされたものである。
【課題を解決するための手段】
【０００４】  商用電源に接続でき電力の供給を受けることができる商用プラグと、任意の発電機に接続でき電力の供給を受けることができる発電機接続プラグと、他の電力供給源より供給された電力を出力でき、電力供給源が変わった際に自動的に回路を切り換えることができる出力プラグと、商用電源の通電、停電を検知する検知回路と前記検知回路と連動し商用電源の停電時に発電機を自動的に起動し、通電時に発電機を停止させることができる発電機制御回路より構成される携帯発電機自動制御装置及び携帯発電機自動制御装置付汎用携帯発電機。
【発明の効果】
【０００５】  本発明の携帯発電機自動制御装置を利用することにより、以下の利点がある。
イ）  セルモータ付汎用携帯発電機（６）に本発明の携帯発電機自動制御装置（１）を装備することにより、商用電源の通電または停電に対応してセルモータ付汎用携帯発電機（６）を自動停止または自動起動させることができる。
ロ）  停電時には、自動的にセルモータ付汎用携帯発電機（６）を起動させ、通電時にはセルモータ付汎用携帯発電機（６）を自動的に停止させて商用電源またはセルモータ付汎用携帯発電機（６）の電力供給を自動的に切り換えて行うことができる。
ハ）  自動電源切換えコンセント（１５）により、電気機器を接続する分岐コンセント（１７）などの入力を商用電源または発電機電源に自動的に切換えることができることから、非常時に発電機を必要とする小容量電気機器、電子機器製品などの非常用自動切換え電源装置として利用できる。
ニ）  自動定期運転することによりセルモータ付汎用携帯発電機（６）を常時スムーズに起動できる状態を維持することができる。
本発明は、以上のような効果がある。
【発明を実施するための最良の形態】
【０００６】以下、本発明の実施の形態について説明する。
イ）  商用電源に接続でき電力の供給を受けることができる商用電源プラグ（２０）を設ける。
ロ）  商用電源の通電、停電を検知する通電／停電検知回路（３）の停電検知側に発電機起動回路（８）を設ける。
ハ）  電機起動回路（８）にセルモータ付汎用携帯発電機（６）のエンジン起動回路を接続する発電機接続プラグ（５）を設ける。
ニ）  商用電源の通電／停電を検知する通電／停電検知回路（３）の通電検知側に発電機停止回路（１３）を設ける。
ホ）  発電機停止回路（１３）にセルモータ付汎用携帯発電機（６）のエンジン停止回路と接続する発電機接続プラグ（５’）を設ける。
ヘ）  発電機バッテリー充電回路（４）にセルモータ付汎用携帯発電機（６）のバッテリーを充電する回路を接続する発電機接続プラグ（５’）を設ける。
ト）  携帯発電機自動制御装置（１）の制御用電源としてセルモータ付携帯発電機（６）のバッテリー回路に接続する制御電源（７）を設ける。
チ）  携帯発電機自動制御装置（１）の自動運転周期、運転回数、運転時間を設定することによりにセルモータ付汎用携帯発電機（６）を定期的に試運転させることが出来るタイマー付発電機定期運転回路（１１）を設ける。
リ）  発電機が回転した後にセルモータを自動的に停止させることができる発電機回転検知回路（１２）を設ける。
ヌ）  タイマーなどにより発電機の出力を分割投入することができる発電機負荷電源投入回路（１４）を設ける。
ル）  セルモータ付汎用携帯発電機（６）のエンジン部分を自動的に保温する機能として外気温度検知回路（２）、保温制御回路（１０）及び保温装置類（９）を設ける。
ヲ）  出力コンセント（１６）への供給として商用電源またはセルモータ付汎用発電機電源（６）に自動的に切換えることが出来る自動電源切換コンセント（１５）を設ける。
以上のような構成を持つ、携帯発電機自動制御装置。【０００７】  本発明を使用する場合は、セルモータ付汎用携帯発電機（６）に携帯発電機自動制御装置（１）を接続または取付け、常時、携帯発電機自動制御装置（１）を商用電源に接続させておく。  通常は、商用電源を使用し通電状態にしておく。  商用電源の停電時にはセルモータ付汎用携帯発電機（６）を自動的に起動させ自動電源切り換えコンセント（１５）によりセルモータ付汎用携帯発電機電源を供給し、商用電源が通電時にはセルモータ付汎用携帯発電機（６）を自動的に停止させ、自動電源切り換えコンセント（１５）により自動的に商用電源を供給する。このことにより、小容量電気機器、電子機器製品の非常用自動切換え電源装置として使用する。【０００８】  また、自動電源切換コンセント（１５）の一方の電源プラグ（１８）を発電機負荷電源投入回路（１４）に接続し、他方の電源プラグ（１９）を商用電源に接続する。自動電源切換コンセント（１５）の出力コンセント（１６）に分岐コンセント（１７）や電気機器を接続し使用する。【０００９】  低温時においても発電機エンジンの正常起動状態を保持出来るように、携帯発電機自動制御装置（１）の外気温度検知回路（２）が設定した温度以下になると発電機のオイル凍結防止とエンジンの保温を行えるように外気温度検知回路（２）、保温制御回路（１０）及び保温装置類（９）たとえば遠赤外線ヒーター類機器をセルモータ付汎用携帯発電機（６）の周辺に設置して使用する。【００１０】停電時、携帯発電機自動制御装置（１）の制御電源（７）はセルモータ付汎用携帯発電機（６）本体に実装されているバッテリー回路から供給する。【００１１】本発明は、以上のような使用方法でこれを利用する場合の一例を以下に説明すると、
イ）  非常用電源設備の必修が想定される交番等の公共施設の電灯設備、電話機、パソコン等の電子機器の非常用電源装置として使用する。
ロ）  小規模店舖の電灯設備、レジスター、電話機等の小容量電機機器の非常用電源装置として使用する。
ハ）  中小規模事務所の交換機、ＰＣ、非常用電灯等の小容量電機機器の非常用電源装置として使用する。
ニ）  請求項６に記載する発明の携帯発電機自動制御装置（１）に付帯する自動電源切換コンセント（１５）は、商用電源とセルモータ付汎用携帯発電機（６）以外の電源たとえば、太陽光発電機、風力発電機等を用いて自動的に切換えることが出来る自動電源切換コンセントとしても利用できる。
ホ）  自動電源切換えコンセント（１５）は携帯発電機自動制御装置（１）に組み入れても利用でき、また、既存セルモータ付汎用携帯発電機（６）の外付け用としても利用できる。【００１２】    本発明の第２の実施の形態について説明する。
前記実施の形態と主に異なる点は、発電機プラグを有しておらず、制御装置が発電機と一体に設けられている点である。このような場合でも前記実施の形態と同様の作用効果を得ることができる。
【図面の簡単な説明】
【００１３】
【図１】  本発明の実施による携帯発電機自動制御装置の概略構成図
【図２】  本発明の実施例
【図３】  本発明の携帯発電機自動制御装置の動作フローチャート
【図４】  本発明の自動電源切換コンセント内蔵型携帯発電機自動制御装置の実施例
【符号の説明】
【００１４】            １  携帯発電機自動制御装置
２  外気温度検知回路
３  通電／停電検知回路
４  発電機バッテリー充電回路
５  発電機接続プラグ
６  セルモータ付汎用携帯発電機
７  制御電源
８  発電機起動回路
９  保温装置類
１０  保温制御回路
１１  タイマー付発電機定期運転回路
１２  発電機回転検知回路
１３  発電機停止回路
１４  発電機負荷電源投入回路
１５  自動電源切換えコンセント
１６  出力コンセント
１７  分岐コンセント
１８  電源プラグ
１９  電源プラグ
２０  電源プラグ
【図１】
2008125337.tif 000003
【図２】
2008125337.tif 000004
【図３】
2008125337.tif 000005
【図４】
2008125337.tif 000006